(57)【要約】【課題】インピーダンス整合が崩れることを抑制できる検査用同軸コネクタ及びプローブを提供することである。【解決手段】第１の外部導体及び第１の中心導体を有する同軸ケーブルに接続されて用いられると共に、第２の外部導体及び第２の中心導体を有する相手方レセプタクルに着脱自在な検査用同軸コネクタ１。ハウジング２５は、上端及び下端のそれぞれにおいて第１の外部導体及び第２の外部導体に接続される。プローブ１０は、ハウジング２５内を上下方向に延在している棒状部材であって、第１の中心導体及び第２の中心導体に接続される。プローブ１０は、第１の中心導体を保持するソケット１４と、ソケット１４と共に一直線に並ぶように、上端においてソケット１４を螺子構造により保持する先端部１５であって、下端において第２の中心導体に接触する棒状の先端部１５と、を含んでいる。【選択図】図１
2012099246.tif 000002
【特許請求の範囲】
【請求項１】
第１の外部導体及び第１の中心導体を有する同軸ケーブルに接続されて用いられると共に、第２の外部導体及び第２の中心導体を有する相手方レセプタクルに着脱自在な検査用同軸コネクタであって、
上端及び下端のそれぞれにおいて前記第１の外部導体及び前記第２の外部導体に接続される筒状のハウジングと、
前記ハウジングと絶縁された状態で該ハウジング内を上下方向に延在している棒状のプローブであって、前記第１の中心導体及び前記第２の中心導体に接続されるプローブと、
を備えており、
前記プローブは、
弾性変形することによって前記第１の中心導体に圧接して、該第１の中心導体を保持するソケットと、
前記ソケットと共に一直線に並ぶように、上端において該ソケットを螺子構造により保持する先端部であって、下端において前記第２の中心導体に接触する棒状の先端部と、
を含んでいること、
を特徴とする検査用同軸コネクタ。
【請求項２】
前記先端部は、
前記第２の中心導体に接触する棒状のプランジャと、
前記プランジャ及び前記ソケットが一直線に並ぶように、下端において該プランジャを保持すると共に、上端において該ソケットを螺子構造により保持するバレルと、
を有していること、
を特徴とする請求項１に記載の検査用同軸コネクタ。
【請求項３】
前記プランジャは、前記バレルに対して上下方向にスライド可能であり、
前記先端部は、
前記プランジャを前記バレルに対して下側に押し出す弾性部材を、
更に有していること、
を特徴とする請求項２に記載の検査用同軸コネクタ。
【請求項４】
前記弾性部材は、コイルばねであり、
前記プランジャは、
軸部と、
前記軸部の上端に設けられ、該軸部よりも太い直径を有する頭部と、
からなっており、
前記バレルは、下端において前記軸部の直径よりも大きくかつ前記頭部の直径よりも小さな直径を有する第１の開口が設けられていると共に、上端において前記コイルばねの直径及び該頭部の直径よりも大きな直径を有する第２の開口が設けられている円筒状をなしており、
前記プランジャは、前記軸部が前記第１の開口から下側に向かって前記バレル外に突出しており、
前記コイルばねは、前記バレルに収容されて、前記頭部を下側に押し出していること、
を特徴とする請求項３に記載の検査用同軸コネクタ。
【請求項５】
前記バレルの上端には雌螺子が設けられており、
前記ソケットの下端には雄螺子が設けられていること、
を特徴とする請求項４に記載の検査用同軸コネクタ。
【請求項６】
前記ハウジング内に設けられ、かつ、該ハウジングと前記プローブとを絶縁する絶縁部材を、
更に備えていること、
を特徴とする請求項１ないし請求項５のいずれかに記載の検査用同軸コネクタ。
【請求項７】
第１の外部導体及び第１の中心導体を有する同軸ケーブルに接続されて用いられると共に、第２の外部導体及び第２の中心導体を有する相手方レセプタクルに着脱自在な検査用同軸コネクタのプローブであって、上端及び下端のそれぞれにおいて該第１の外部導体及び該第２の外部導体に接続される筒状のハウジング内を該ハウジングと絶縁された状態で上下方向に延在し、かつ、該第１の中心導体及び該第２の中心導体に接続される棒状のプローブであって、
弾性変形することによって前記第１の中心導体に圧接して、該第１の中心導体を保持するソケットと、
前記ソケットと共に一直線に並ぶように、上端において該ソケットを螺子構造により保持する先端部であって、下端において前記第２の中心導体に接触する棒状の先端部と、
を含んでいること、
を特徴とするプローブ。
【発明の詳細な説明】
【技術分野】
【０００１】
本発明は、検査用同軸コネクタ及びプローブに関し、より特定的には、被検査体である相手方レセプタクルに着脱可能な検査用同軸コネクタ及びプローブに関する。
【背景技術】
【０００２】
従来の検査用同軸コネクタとしては、例えば、特許文献１に記載の測定プローブが知られている。以下に、特許文献１に記載の測定プローブについて図面を参照しながら説明する。図６は、特許文献１に記載の測定プローブ５００の断面構造図である。
【０００３】
測定プローブ５００は、同軸ケーブルの先端に取り付けられ、高周波回路基板の高周波信号を測定する際に用いられる。該測定プローブ５００は、外導体５０２、プローブ５０４及び絶縁部材５０６により構成されている。
【０００４】
外導体５０２は、円筒形状の導体部材であり、同軸ケーブルの外導体に接続される。また、外導体５０２の下端は、高周波信号の測定時に、高周波回路基板の外部ランド端子に接触する。プローブ５０４は、外導体５０２内において上下方向に延在しており、同軸ケーブルの中心導体に接続される。絶縁部材５０６は、外導体５０２とプローブ５０４とを絶縁している。
【０００５】
また、プローブ５０４は、内導体５０８、保持部材５１０、ばね５１２及びソケット５１４を含んでいる。内導体５０８は、棒状部材であり、高周波信号の測定時に、先端において高周波回路基板のメインランド端子に接触する。保持部材５１０は、円筒形状の導体からなる部材であり、先端に開口を有している。内導体５０８は、開口から下側に向かって延在している。また、ばね５１２は、保持部材５１０に収容されており、内導体５０８を下側に押し出している。ソケット５１４は、同軸ケーブルの中心導体に接続され、保持部材５１０が取り付けられている。より詳細には、ソケット５１４の下端には穴が設けられている。そして、該穴にはんだを投入し、加熱してはんだを溶融させながら、保持部材５１０の上端を穴に挿入する。その後、プローブ５０４を冷却することにより、保持部材５１０とソケット５１４とがはんだにより固定される。
【０００６】
ところで、特許文献１に記載の測定プローブ５００は、内導体５０８、保持部材５１０及びソケット５１４が一直線に並びにくいという問題を有する。図７は、プローブ５０４の拡大図である。
【０００７】
ソケット５１４の穴は、保持部材５１０の上端を容易に挿入できるように、保持部材５１０の上端よりもやや大きく形成されている。そのため、図７（ａ）に示すように、内導体５０８及び保持部材５１０がソケット５１４に対して傾いたり、図７（ｂ）に示すように、内導体５０８及び保持部材５１０がソケット５１４に対して水平方向にずれたりする。その結果、内導体５０８及び保持部材５１０とソケット５１４との間においてインピーダンス整合が崩れてしまい、測定プローブ５００内において高周波信号の反射が発生してしまう。
【先行技術文献】
【特許文献】
【０００８】
【特許文献１】特開平１１−２８９１４０号公報
【発明の概要】
【発明が解決しようとする課題】
【０００９】
そこで、本発明の目的は、インピーダンス整合が崩れることを抑制できる検査用同軸コネクタ及びプローブを提供することである。
【課題を解決するための手段】
【００１０】
本発明の一形態に係る検査用同軸コネクタは、第１の外部導体及び第１の中心導体を有する同軸ケーブルに接続されて用いられると共に、第２の外部導体及び第２の中心導体を有する相手方レセプタクルに着脱自在な検査用同軸コネクタであって、上端及び下端のそれぞれにおいて前記第１の外部導体及び前記第２の外部導体に接続される筒状のハウジングと、前記ハウジングと絶縁された状態で該ハウジング内を上下方向に延在している棒状のプローブであって、前記第１の中心導体及び前記第２の中心導体に接続されるプローブと、を備えており、前記プローブは、弾性変形することによって前記第１の中心導体に圧接して、該第１の中心導体を保持するソケットと、前記ソケットと共に一直線に並ぶように、上端において該ソケットを螺子構造により保持する先端部であって、下端において前記第２の中心導体に接触する棒状の先端部と、を含んでいること、を特徴とする。
【００１１】
本発明の一形態に係るプローブは、第１の外部導体及び第１の中心導体を有する同軸ケーブルに接続されて用いられると共に、第２の外部導体及び第２の中心導体を有する相手方レセプタクルに着脱自在な検査用同軸コネクタのプローブであって、上端及び下端のそれぞれにおいて該第１の外部導体及び該第２の外部導体に接続される筒状のハウジング内を該ハウジングと絶縁された状態で上下方向に延在し、かつ、該第１の中心導体及び該第２の中心導体に接続される棒状のプローブであって、弾性変形することによって前記第１の中心導体に圧接して、該第１の中心導体を保持するソケットと、前記ソケットと共に一直線に並ぶように、上端において該ソケットを螺子構造により保持する先端部であって、下端において前記第２の中心導体に接触する棒状の先端部と、を含んでいること、を特徴とする。
【発明の効果】
【００１２】
本発明によれば、インピーダンス整合が崩れることを抑制できる。
【図面の簡単な説明】
【００１３】
【図１】本発明の一実施形態に係る検査用同軸コネクタの断面構造図である。
【図２】図１の検査用同軸コネクタの分解斜視図である。
【図３】検査用同軸コネクタ１のプローブの分解図である。
【図４】被検査体である相手方レセプタクルへの装着前及び装着後における検査用同軸コネクタの先端部分の断面構造図である。
【図５】実験結果を示したグラフである。
【図６】特許文献１に記載の測定プローブの断面構造図である。
【図７】プローブの拡大図である。
【発明を実施するための形態】
【００１４】
（検査用同軸コネクタの構造）
以下に、本発明の一実施形態に係る検査用同軸コネクタ及びプローブの構造について、図１及び図２を参照して説明する。図１は、本発明の一実施形態に係る検査用同軸コネクタ１の断面構造図である。図２は、図１の検査用同軸コネクタ１の分解斜視図である。図３は、検査用同軸コネクタ１のプローブ１０の分解図である。以下では、プローブ１０が延在している方向を上下方向とする。
【００１５】
検査用同軸コネクタ１は、図示しない第１の外部導体及び第１の中心導体を有する同軸ケーブルに接続されて用いられると共に、図示しない第２の外部導体及び第２の中心導体を有する相手方レセプタクルに着脱自在に構成されている。そして、検査用同軸コネクタ１は、図１及び図２に示すように、プローブ１０、ブッシング２０ａ，２０ｂ、ハウジング２５及び規制部材５０を備えている。
【００１６】
ハウジング２５は、図１及び図２に示すように、上端及び下端のそれぞれにおいて第１の外部導体（不図示）及び第２の外部導体（不図示）に接続される筒状部材であり、上部２５ａ及び下部２５ｂにより構成されている。上部２５ａは、相対的に大きな直径を有する導電性部材（例えば、ばね性が相対的に高い（すなわち、ヤング率の大きい）ベリリウム銅）からなる筒状体である。上部２５ａには、開口ｈａが設けられている。下部２５ｂは、上部２５ａの下側において該上部２５ａと一体的に設けられており、相対的に小さな直径を有する導電性部材（例えば、ベリリウム銅）からなる筒状体である。下部２５ｂには、開口ｈｂが設けられている。
【００１７】
下部２５ｂは、図１に示すように、先端部２６ａ及び突部２６ｂを含んでいる。先端部２６ａは、下部２５ｂの下側における先端部分であり、後述する相手方レセプタクルの外部導体が挿入される。先端部２６ａは、下部２５ｂの該先端部２６ａ以外の部分よりも小さな直径を有し、かつ、該先端部２６ａの直径が伸縮可能な構造を有している。具体的には、図２に示すように、先端部２６ａには、先端部２６ａの先端から上方向に延在するスリットＳ２が設けられている。これにより、先端部２６ａのばね性により、スリットＳ２が広がることにより、先端部２６ａは、水平方向に広がることができる。また、突部２６ｂは、図１に示すように、先端部２６ａの内周面において、先端部２６ａの中心方向に突出するように設けられている。
【００１８】
プローブ１０は、図１に示すように、ハウジング２５と絶縁された状態でハウジング２５内を上下方向に延在している棒状部材であり、図示しない第１の中心導体及び第２の中心導体に接続される。そして、プローブ１０は、図１及び図３に示すように、ソケット１４及び先端部１５を含んでいる。
【００１９】
ソケット１４は、弾性変形することによって第１の中心導体に圧接して、第１の中心導体を保持する。より詳細には、ソケット１４は、ばね性が相対的に高い導電性部材（例えば、ベリリウム銅）からなる円筒状部材である。そして、ソケット１４の上端には開口ｈ３が設けられており、ソケット１４の下端には開口が設けられていない。また、ソケット１４の側面には、図３に示すように、上下方向に延在しているスリットが設けられている。これにより、第１の中心導体が上方からソケット１４に挿入された場合に、ソケット１４が弾性変形して押し広げられて、第１の中心導体に対して圧接するようになる。また、ソケット１４の下端には、雄螺子が設けられている。
【００２０】
先端部１５は、ソケット１４と共に上下方向に一直線に並ぶように、上端においてソケット１４を保持し、下端において相手方レセプタクルの第２の中心導体に接触する棒状部材である。先端部１５は、図１に示すように、プランジャ１１、コイルばね１２及びバレル１３を有している。
【００２１】
プランジャ１１は、図１に示すように、軸部１１ａ及び頭部１１ｂからなるベリリウム銅製のピンであり、相手方レセプタクルの第２の中心導体に接触する。軸部１１ａは、上下方向に延在している均一な太さを有する棒状部材である。頭部１１ｂは、軸部１１ａの上端に設けられ、軸部１１ａよりも太い直径を有している。
【００２２】
バレル１３は、プランジャ１１及びソケット１４が上下方向に一直線に並ぶように、下端においてプランジャ１１を保持すると共に、上端においてソケットを螺子構造により保持する。バレル１３は、ばね性が相対的に低い導電性部材（例えば、黄銅）からなる円筒状部材である。バレル１３には、下側において軸部１１ａの直径よりも大きくかつ頭部１１ｂの直径よりも小さな開口ｈ１が設けられていると共に、上端においてコイルばね１２の直径及び頭部１１ｂの直径よりも大きな直径を有する開口ｈ２が設けられている。そして、バレル１３の上端には雌螺子が設けられている。
【００２３】
プランジャ１１は、軸部１１ａが開口ｈ１から下側に向かってバレル１３外に突出するように、バレル１３に取り付けられる。より詳細には、プランジャ１１は、バレル１３の開口ｈ２から挿入される。ここで、軸部１１ａの直径は、開口ｈ１の直径よりも小さく、頭部１１ｂの直径は、開口ｈ１の直径よりも大きい。よって、軸部１１ａは、開口ｈ１を通過することができる。一方、頭部１１ｂは、開口ｈ１を通過することができず、バレル１３の下端に引っかかる。これにより、プランジャ１１は、バレル１３に対して抜け落ちることなく上下方向にスライド可能に構成されている。
【００２４】
また、コイルばね１２は、プランジャ１１をバレル１３に対して下側に押し出す弾性部材である。より詳細には、コイルばね１２は、バレル１３の開口ｈ２から挿入されることにより、バレル１３に収容される。そして、コイルばね１２は、プランジャ１１の頭部１１ａを下側に押し出している。これにより、プランジャ１１は、下側から押さえつけられた場合、コイルばね１２が縮んで上側に退避することができる。
【００２５】
ソケット１４は、プランジャ１１及びコイルばね１２が取り付けられたバレル１３に対して螺子構造により固定されている。より詳細には、雄螺子が設けられているソケット１４の下端と雌螺子が設けられているバレル１３の上端とが螺合される。このとき、プランジャ１１とバレル１３とソケット１４とが一直線に並ぶ。すなわち、プランジャ１１の中心軸とバレル１３の中心軸とソケット１４の中心軸とが一致する。
【００２６】
ブッシング２０ａ，２０ｂは、ハウジング２５内に設けられており、樹脂等の絶縁体からなる筒状体である。ブッシング２０ａ，２０ｂには、図１に示すように、プローブ１０が挿入されて固定されている。ブッシング２０ｂの先端からは、プローブ１０の先端が突出している。
【００２７】
更に、プローブ１０が挿入されたブッシング２０ａ，２０ｂは、図１に示すように、筒状のハウジング２５に挿入されて固定されている。ブッシング２０ａ，２０ｂは絶縁体により構成されているので、プローブ１０とハウジング２５とは絶縁されている。また、プランジャ１１は、ハウジング２５の先端部２６ａ内を延在していると共に、該先端部２６ａから、突出している。
【００２８】
規制部材５０は、図１及び図２に示すように、固定部５０ａ及び規制部５０ｂを有している。固定部５０ａは、図２に示すように、円筒形状をなしており、ハウジング２５に取り付けられている。具体的には、固定部５０ａの内径は、先端部２６ａの外径よりも大きい。そして、固定部５０ａは、先端部２６ａ側（すなわち、下側）から、ハウジング２５の下部２５ｂに対して圧入されることにより、ハウジング２５に固定されている。固定部５０ａは、図１に示すように、先端部２６ａの上側において下部２５ｂに対して固定されている。
【００２９】
規制部５０ｂは、図２に示すように、固定部５０ａの下側に接続されており、円筒形状を有している。ただし、規制部５０ｂは、上下方向に延在するスリットＳ１が設けられることにより、Ｃ字型をなしている。これにより、規制部５０ｂは、その直径が伸縮可能な構造を有している。よって、規制部５０ｂのばね性により、スリットＳ１が広がることにより、規制部５０ｂは、水平方向に広がることができる。
【００３０】
更に、規制部５０ｂの内径は、先端部２６ａの外径よりも僅かに大きい。そのため、固定部５０ａが下部２５ｂに取り付けられると、規制部５０ｂは、先端部２６ａの周囲を取り囲むようになる。更に、規制部５０ｂの下端は、図１に示すように、先端部２６ａの下端と一致している。以上のように構成された規制部５０ｂは、後述するように、相手方レセプタクルが装着されているときに、先端部２６ａの径が広がることを規制する役割を果たす。
【００３１】
以上のように構成された検査用同軸コネクタ１は、第１の外部導体及び第１の内部導体を有する同軸ケーブルの先端に取り付けられて用いられる。具体的には、同軸ケーブルの先端には、ＳＭＡコネクタが取り付けられている。ＳＭＡコネクタは、同軸ケーブルの第１の外部導体に接続されているコネクタ、及び、同軸ケーブルの第１の内部導体に接続されている内部導体を備えている。そして、ＳＭＡコネクタは、コネクタがハウジングに螺合し、内部導体がソケット１４に挿入されるようにして、検査用同軸コネクタ１に取り付けられる。これにより、第１の内部導体とプローブ１０とが電気的に接続され、第１の外部導体とハウジング２５とが電気的に接続される。
【００３２】
（検査用同軸コネクタの動作）
次に、検査用同軸コネクタ１の動作について図４を参照して説明する。図４は、被検査体である相手方レセプタクル３０１への装着前及び装着後における検査用同軸コネクタ１の先端部分の断面構造図である。
【００３３】
まず、相手方レセプタクル３０１について説明する。相手方レセプタクル３０１は、例えば、携帯電話のアンテナと送受信回路との間に設けられるスイッチ付同軸コネクタであり、ケース３０３、外部導体（第２の外部導体）３０５、固定端子３０６及び可動端子（第２の内部導体）３０７を備えている。固定端子３０６はアンテナに接続され、可動端子３０７は送受信回路に接続される。
【００３４】
まず、検査用同軸コネクタ１が相手方レセプタクル３０１に装着されていない状態について説明する。図４（ａ）に示すように、プローブ１０は、先端部２６ａ及び規制部５０ｂから下側に突出している。また、先端部２６ａの外周面は、規制部５０ｂに僅かに接触しているか、又は、僅かな隙間を介して離れている。このとき、相手方レセプタクル３０１では、図４（ａ）に示すように、固定端子３０６と可動端子３０７とが接触しているので、アンテナと送受信回路とが接続されている。
【００３５】
次に、検査用同軸コネクタ１が相手方レセプタクル３０１に装着された状態について説明する。セットメーカーが携帯電話の送受信回路の電気特性をチェックする場合には、図４（ｂ）に示すように、同軸ケーブルを介して測定器が接続されたプローブ１０が上側から下側へとケース３０３の孔３０４に挿入される。これにより、可動端子３０７がプローブ１０により下側に押される。その結果、固定端子３０６と可動端子３０７とが離れると共に、プローブ１０と可動端子３０７とが接続され、送受信回路と測定器とが接続されるようになる。この際、可動端子３０７からの反発力によりコイルばね１２が縮んでプローブ１０が上側に退避する。これにより、可動端子３０７の破損が防止されている。
【００３６】
また、図４（ｂ）の状態において、外部導体３０５が先端部２６ａ内に挿入される。先端部２６ａの内径は、外部導体３０５の外径よりも僅かに小さい。そのため、先端部２６ａは、外部導体３０５により僅かに押し広げられる。ただし、先端部２６ａの外周面は、図４（ａ）の状態において、規制部５０ｂの内周面と接触又は僅かな隙間を介して離れている。そのため、先端部２６ａが広げられると、先端部２６ａの外周面は、規制部５０ｂの内周面に圧接するようになる。その結果、規制部５０ｂは、先端部２６ａにより僅かに押し広げられる。これにより、規制部５０ｂは、先端部２６ａが広がりすぎることを抑制している。そして、突部２６ｂが外部導体３０５の外周に形成された溝３０５ａに係合すると共に、先端部２６ａ及び規制部５０ｂが外部導体３０５の上面３０５ｂに接触する。これにより、検査用同軸コネクタ１は、適切な力で相手方レセプタクル３０１に嵌合するようになる。
【００３７】
（効果）
以上のような検査用同軸コネクタ１及びプローブ１０によれば、インピーダンス整合が崩れることを抑制できる。より詳細には、特許文献１に記載の測定プローブ５００では、ソケット５１４の穴は、保持部材５１０の上端を容易に挿入できるように、保持部材５１０の上端よりもやや大きく形成されている。そのため、図７（ａ）に示すように、内導体５０８及び保持部材５１０がソケット５１４に対して傾いたり、図７（ｂ）に示すように、内導体５０８及び保持部材５１０がソケット５１４に対して水平方向にずれたりする。その結果、内導体５０８及び保持部材５１０とソケット５１４との間においてインピーダンス整合が崩れてしまい、測定プローブ５００内において高周波信号の反射が発生してしまう。
【００３８】
なお、特許文献１に記載の測定プローブ５００において、ソケット５１４の穴の大きさを保持部材５１０の上端の大きさと一致させることが考えられる。しかしながら、この場合には、製造誤差によって、ソケット５１４の穴に保持部材５１０の上端を挿入できなくなるおそれがある。
【００３９】
そこで、検査用同軸コネクタ１及びプローブ１０では、バレル１３は、ソケット１４を螺子構造により保持している。これにより、バレル１３の下端の雄螺子及びソケット１４の上端の雌螺子を正確に形成することにより、プランジャ１１、バレル１３及びソケット１４が一直線に並ぶようになる。すなわち、プランジャ１１の中心軸とバレル１３の中心軸とソケット１４の中心軸とが一致する。よって、プランジャ１１、バレル１３及びソケット１４の間においてインピーダンス整合が崩れにくくなる。
【００４０】
本願発明者は、検査用同軸コネクタ１が奏する効果をより明確にするために、以下に説明する実験を行った。本願発明者は、図１に示す検査用同軸コネクタ１の第１のサンプル及び図６に示す測定プローブ５００の第２のサンプルを作製した。そして、本願発明者は、第１のサンプル及び第２のサンプルの挿入損失及び電圧定在波比（ＶＳＷＲ）を測定した。図５は、実験結果を示したグラフである。横軸は周波数である。左側の縦軸は電圧定在波比であり、右側の縦軸は挿入損失である。
【００４１】
図５に示すように、第１のサンプルの挿入損失の方が第２のサンプルの挿入損失よりも小さくなっていることがわかる。これは、第１のサンプルにおいて発生している反射量が第２のサンプルにおいて発生している反射量よりも小さいことを意味している。よって、第１のサンプルにおいて、インピーダンス整合が崩れることが抑制されていることがわかる。
【００４２】
また、図５に示すように、第１のサンプルの電圧定在波比の方が第２のサンプルの電圧定在波比よりも小さいことがわかる。これは、第１のサンプルにおける反射量が第２のサンプルにおける反射量よりも小さいために、第１のサンプルにおいて発生している定在波の強度が第２のサンプルにおいて発生している定在波の強度よりも小さくなっていることを意味している。よって、第１のサンプルにおいて、インピーダンス整合が崩れることが抑制されていることがわかる。
【００４３】
また、検査用同軸コネクタ１及びプローブ１０では、製造工程数を減らすことが可能である。より詳細には、図６及び図７に示す測定プローブ５００では、ばね５１２及び内導体５０８を下側から保持部材５１０に挿入した後に、ばね５１２及び内導体５０８が抜け落ちないように、保持部材５１０の下端をかしめる必要がある。一方、検査用同軸コネクタ１及びプローブ１０では、プランジャ１１及びコイルばね１２を上側からバレル１３に挿入し、バレル１３とソケット１４とを螺合している。よって、検査用同軸コネクタ１及びプローブ１０では、バレル１３をかしめる必要がない。その結果、検査用同軸コネクタ１及びプローブ１０では、製造工程数を減らすことが可能となる。
【００４４】
また、検査用同軸コネクタ１及びプローブ１０では、バレル１３をかしめる必要がないので、かしめの際にバレル１３がひずむことがない。その結果、プランジャ１１、バレル１３及びソケット１４が一直線に並びやすくなる。すなわち、プランジャ１１の中心軸とバレル１３の中心軸とソケット１４の中心軸とが一致しやすくなる。よって、プランジャ１１、バレル１３及びソケット１４の間においてインピーダンス整合が崩れにくくなる。
【００４５】
また、検査用同軸コネクタ１及びプローブ１０では、バレル１３及びソケット１４が螺合されているので、これらの接合にはんだが不要である。そのため、バレル１３及びソケット１４の接合の際に加熱工程が不要となる。その結果、バレル１３及びソケット１４が熱によってひずむことが抑制される。また、はんだが用いられないので、鉛、ハロゲン化合物、塩化物等の環境負荷物質を低減できる。
【００４６】
また、検査用同軸コネクタ１及びプローブ１０では、以下に説明するように、検査用同軸コネクタ１及びプローブ１０の製造コストが低減される。より詳細には、プローブ１０は、プランジャ１１、バレル１３及びソケット１４を含んでいる。ソケット１４は、弾性変形することにより第１の中心導体に圧接して、第１の中心導体を保持する。そのため、ソケット１４は、相対的に高いばね性を有する導電性材料（例えば、ベリリウム銅）により作製されている。ただし、ベリリウム銅のような高いばね性を有する導電性材料は、比較的に高価である。そのため、プランジャ１１及びバレル１３を相対的に高いばね性を有する導電性材料により作製すると、検査用同軸コネクタ１及びプローブ１０の製造コストが高騰してしまう。
【００４７】
ここで、プランジャ１１及びバレル１３は、使用時に変形することがない。そのため、プランジャ１１及びバレル１３を構成する導電性材料は、相対的に高いばね性を有している必要はない。そこで、検査用同軸コネクタ１及びプローブ１０では、プランジャ１１及びバレル１３は、比較的に安価な導電性材料（例えば、黄銅）により構成されている。これにより、検査用同軸コネクタ１及びプローブ１０の製造コストが低減される。
【産業上の利用可能性】
【００４８】
以上のように、本発明は、検査用同軸コネクタ及びプローブに有用であり、特に、インピーダンス整合が崩れることを抑制できる点において優れている。
【符号の説明】
【００４９】
１ 検査用同軸コネクタ
１０  プローブ
１１  プランジャ
１１ａ  軸部
１１ｂ  頭部
１２  コイルばね
１３  バレル
１４  ソケット
１５  先端部
２０ａ，２０ｂ  ブッシング
２５  ハウジング
５０  規制部材
【図１】
2012099246.tif 000003
【図２】
2012099246.tif 000004
【図３】
2012099246.tif 000005
【図４】
2012099246.tif 000006
【図５】
2012099246.tif 000007
【図６】
2012099246.tif 000008
【図７】
2012099246.tif 000009